(57)【要約】【課題】  シャッタチャンスを逃すことを防止したデジタルカメラを提供する。【解決手段】  設定変更部４１ｂは、複数の撮影モードのうち、スポーツ撮影モードが選択された時に、電源制御部４１ｃを制御して節電機能が無効にされ、その他の撮影モードが選択された時に、節電機能が有効にされるように設定を変更する。節電機能が有効にされている場合、最後にカメラ操作が行われてから自動消灯時間Ｔ１経過した時に、ＬＣＤパネル１６の電源がオフにされて消灯され、その後、最後にカメラ操作が行われてから自動電源オフ時間Ｔ２経過した時に、カメラの電源がオフにされる。また、カメラの電源がオフにされるよりも警告時間Ｔ３前に、自動的に電源がオフになることをユーザに対して警告する。【選択図】        図５
2006093867.tif 000002
【特許請求の範囲】
【請求項１】
操作が一定時間行われなかった時に、消費される電力を抑えて節電を行う節電機能を有するデジタルカメラにおいて、
複数の撮影モードのうち、所定の撮影モードが選択された時に、前記節電機能が無効になり、その他の撮影モードが選択された時に、前記節電機能が有効になるように設定を変更する設定変更手段を備えたことを特徴とするデジタルカメラ。
【請求項２】
前記節電機能は、最後の操作から第１の設定時間経過した時に、画像を表示する表示手段への電源供給を停止させ、その後、最後の操作から第２の設定時間経過した時に、カメラの電源をオフにして節電を行うことを特徴とする請求項１記載のデジタルカメラ。
【請求項３】
前記節電機能が有効にされている場合、カメラの電源が自動的にオフにされるよりも第３の設定時間前に、自動的にカメラの電源がオフになることを警告手段により警告することを特徴とする請求項１または請求項２記載のデジタルカメラ。
【請求項４】
前記警告手段は、発光装置または音声出力装置であることを特徴とする請求項１ないし請求項３のいずれか記載のデジタルカメラ。
【請求項５】
前記複数の撮影モードは、予め設定された撮影間隔及び撮影回数で自動的に撮影を行うインターバル撮影モードを含み、このインターバル撮影モードにて撮影を行う場合、各撮影終了後に自動的にカメラの電源がオフとなり、次の撮影前に再び自動的にカメラの電源がオンとなることを特徴とする請求項１ないし請求項４のいずれか記載のデジタルカメラ。
【発明の詳細な説明】
【技術分野】
【０００１】
本発明は、カメラの操作が一定時間行われなかった時に、消費される電力を抑えて節電を行う節電機能を有するデジタルカメラに関する。
【背景技術】
【０００２】
近年、撮影光学系により結像され被写体像を撮像素子により電気信号に変換して、メモリカード等の記憶媒体に撮影画像データとして記憶させるデジタルカメラが普及している。このようなデジタルカメラは、携帯性を向上させるために小型化及び軽量化されており、電池も小型なものが搭載されている。このため、電池の容量を大きくすることが難しく、電池交換なしで撮影可能な枚数を増加させるには、消費電力を低減する必要がある。
【０００３】
消費電力を低減させたデジタルカメラとして、カメラの操作が一定時間行われなかった時に、画像表示装置の電源を自動的にオフにし、さらに操作が一定時間行われなかった時に、カメラの電源を自動的にオフにする節電機能を有するデジタルカメラが知られている（例えば、特許文献１参照）。
【特許文献１】特開平１１−２５２４８８号公報
【発明の開示】
【発明が解決しようとする課題】
【０００４】
しかしながら、上記特許文献１に記載のデジタルカメラは、カメラの操作が一定時間行われなかった時に、電源が自動的にオフにされるため、スポーツを行っている被写体を追いかけて撮影する等、一瞬のシャッタチャンスを長い時間待ちながら撮影を行う場合でも、不意にカメラの電源が自動的にオフにされてしまうので、シャッタチャンスを逃してしまうという問題があった。
【０００５】
本発明は上記事情に鑑みてなされたものであり、シャッタチャンスを逃すことを防止したデジタルカメラを提供する。
【課題を解決するための手段】
【０００６】
上記課題を解決するために、本発明のデジタルカメラは、操作が一定時間行われなかった時に、消費される電力を抑えて節電を行う節電機能を有するデジタルカメラにおいて、
複数の撮影モードのうち、所定の撮影モードが選択された時に、前記節電機能が無効になり、その他の撮影モードが選択された時に、前記節電機能が有効になるように設定を変更する設定変更手段を備えたことを特徴とするものである。
【０００７】
また、前記節電機能は、最後の操作から第１の設定時間経過した時に、画像を表示する表示手段への電源供給を停止させ、その後、最後の操作から第２の設定時間経過した時に、カメラの電源をオフにして節電を行うことが好ましい。
【０００８】
さらに、前記節電機能が有効にされている場合、カメラの電源が自動的にオフにされるよりも第３の設定時間前に、自動的にカメラの電源がオフになることを警告手段により警告することが好ましい。また、前記警告手段は、発光装置または音声出力装置であることが好ましい。
【０００９】
また、前記複数の撮影モードは、予め設定された撮影間隔及び撮影回数で自動的に撮影を行うインターバル撮影モードを含み、このインターバル撮影モードにて撮影を行う場合、各撮影終了後に自動的にカメラの電源がオフとなり、次の撮影前に再び自動的にカメラの電源がオンとなることが好ましい。
【発明の効果】
【００１０】
本発明のデジタルカメラによれば、所定の撮影モードにおいて節電機能が無効にされるので、スポーツ撮影モードのように、被写体を追いかけながら一瞬のシャッタチャンスを待って撮影を行う撮影モードにおいて節電機能を無効にすることにより、不意にカメラが節電状態となってシャッタチャンスを逃すことを防止できる。
【００１１】
また、撮影機能が有効にされている場合でも、カメラの電源が自動的にオフにされる前に警告を行うので、不意にカメラの電源がオフになって、シャッタチャンスを逃すことを防止できる。
【発明を実施するための最良の形態】
【００１２】
図１は、デジタルカメラの前面側の構成を示す外観斜視図であり、図２は背面側の構成を示す外観斜視図である。図１に示すように、デジタルカメラ１０は、カメラ本体１１の前面側に、図中矢印方向にスライド操作自在なレンズバリア１２を備えている。このレンズバリア１２を図１に示す開放位置にスライドさせることにより、撮影レンズ１３、ストロボ発光部１４が前面に露呈される。さらに、このレンズバリア１２は、電源スイッチを兼用しており、開放位置にスライド操作された時に電源がＯＮとなって撮影可能な状態となり、撮影レンズ１３及びストロボ発光部１４が遮蔽される遮蔽位置にスライド操作された時に電源がＯＦＦになる。また、カメラ本体１１の前面には、光学ファインダを構成するファインダ対物窓１５が設けられている。
【００１３】
図２に示すように、カメラ本体１１の背面には、表示手段であるＬＣＤパネル１６、光学ファインダを構成するファインダ接眼窓１７、発光装置である発光部１８、音声出力装置であるスピーカ１９が設けられている。ＬＣＤパネル１６は、記録画像や各種設定画面を表示し、さらに、被写体画像をリアルタイムで表示することにより、電子ビューファインダとしても使用される。発光部１８は、例えばＬＥＤ等の発光素子を備えて構成されている。
【００１４】
また、カメラ本体１１の背面及び上面には、複数のボタンで構成される操作手段である操作部２０が設けられている。この操作部２０は、モード切替スイッチ２１、戻しボタン２２、送りボタン２３、ズームボタン２４、メニューボタン２５、キャンセルボタン２６、表示ボタン２７、及びシャッタボタン２８を備えて構成されている。なお、シャッタボタン２８のみが、カメラ本体１１の上面に設けられており、その他は背面に設けられている。
【００１５】
モード切替スイッチ２１は、撮影モードと再生モードとの間でモード切替を行う際に、ユーザによってスライド操作されて各モードが選択される。また、送りボタン２３及び戻しボタン２２は、再生モード時に再生画像を順送り及び逆送りする際に押圧操作される。
【００１６】
ズームボタン２４は、撮影レンズ１３のズームレンズをワイド端とテレ端との間で光軸方向に移動させて光学撮影倍率を変更する際に、ユーザによって上下方向に押圧操作される。メニューボタン２５は、メニュー画面をＬＣＤパネル１６に表示させる際に、ユーザによって押圧操作される。また、キャンセルボタン２６は、メニュー画面内での各種設定の操作を途中でやめる場合、または前画面に戻す場合に押圧操作される。表示ボタン２７は、ＬＣＤパネル１６のＯＮ、ＯＦＦを切り替える際に、ユーザによって押圧操作される。
【００１７】
シャッタボタン２８は、２段階押しのスイッチとなっている。ユーザがＬＣＤパネル１６または光学ファインダを用いてフレーミングを行った後に、シャッタボタン２８を軽く押圧（半押し）すると、露光調節、撮影レンズ１３の焦点調節などの各種撮影準備処理が施され、シャッタボタン２８をもう１度強く押圧（全押し）すると撮影が実行される。
【００１８】
カメラ本体１１の側面には、メモリカードスロット３１、外部出力端子３２が設けられている。メモリカードスロット３１には、画像データが記録される記録媒体であるメモリカード３３が着脱自在に装填される。外部出力端子３２は、例えばＵＳＢ端子等であり、メモリカード３３に記録された画像データを外部装置、例えばパーソナルコンピュータに出力する際に使用される。
【００１９】
また、このデジタルカメラ１０は、複数の撮影モードとして、例えば、通常撮影モード、スポーツ撮影モード、夜景撮影モード、インターバル撮影モードを備えている。スポーツ撮影モードは、高速で移動する被写体などを撮影する場合に選択され、被写体がブレないように通常撮影モードよりもシャッタスピードの高速側を用いて撮影する撮影モードであり、被写体を追いかけながら最適なシャッタチャンスを待って撮影を行う場合が多い。
【００２０】
また、夜景撮影モードは、夜景を撮影する場合に選択され、通常撮影モードよりもシャッタスピードの低速側を用いて撮影を行うモードである。インターバル撮影モードは、予め設定された撮影間隔及び撮影回数にて自動的に撮影を行う撮影モードである。
【００２１】
ユーザが、操作部２０を操作することにより、図３に示すように、ＬＣＤパネル１６に撮影モード選択画面３５が表示され、その後、操作部２０を操作して各撮影モードを示す項目３５ａ〜３５ｄのいずれかを指定することにより、所望の撮影モードを選択することができる。
【００２２】
図４は、デジタルカメラ１０の電気的構成を示すブロック図である。図４に示すように、デジタルカメラ１０には、カメラ全体を制御する制御手段であるシステムコントローラ４１が設けられている。システムコントローラ４１は、制御プログラムや各種制御用のデータ等が記憶されたメモリ４１ａと、節電機能の有効及び無効の設定を変更する設定変更手段である設定変更部４１ｂと、電源部４２を制御する電源制御部４１ｃとを備えている。システムコントローラ４１は、メモリ４１ａに記憶された制御プログラムや各種制御用のデータに基づいて各部を制御する。
【００２３】
撮影レンズ１３の背後には、撮像手段であるＣＣＤイメージセンサ４３が配置されている。ＣＣＤイメージセンサ４３は、ＣＣＤドライバ４４を介してシステムコントローラ４１に接続されている。システムコントローラ４１は、ＣＣＤドライバ４４を制御することによりＣＣＤイメージセンサ４３を駆動させ、光電変換により被写体像を電気信号に変換した撮像信号を相関二重サンプリング回路（ＣＤＳ）４５に出力させる。
【００２４】
アナログ信号である撮像信号は、ＣＤＳ４５にてノイズが除去され、さらにＡＭＰ４６にて増幅される。その後、撮像信号は、Ａ／Ｄ変換器４７にてアナログ信号からデジタル信号に変換されて、画像入力コントローラ４８に画像データとして出力される。
【００２５】
画像入力コントローラ４８は、データバス５０を介して、システムコントローラ４１及び記憶部５１に接続されている。システムコントローラ４１は、画像入力コントローラ４８を制御して、画像データを記憶部５１に記憶させる。記憶部５１は、ビデオメモリ５１ａ及びバッファメモリ５１ｂを備えている。
【００２６】
ビデオメモリ５１ａは、ＬＣＤパネル１６に画像を表示させる際に、解像度の低い画像データが一時的に記憶される。このビデオメモリ５１ａに記憶された画像データは、データバス５０を介してＬＣＤドライバ５４に送信される。ＬＣＤドライバ５４は、ＬＣＤパネル１６に画像を表示できるように、画像データに対して信号処理を施して、画像をＬＣＤパネル１６に表示させる。
【００２７】
また、バッファメモリ５１ｂは作業用メモリであり、撮像された高解像度の画像データが一時的に記憶される。システムコントローラ４１は、データバス５０を介して画像信号処理部５５が接続されている。画像信号処理部５５は、撮像された高解像度の画像データがバッファメモリ５１ｂに記憶されている間に、各種画像処理、例えば、階調変換、色変換、ハイパートーン処理、及びハイパーシャープネス処理等を施す。
【００２８】
また、システムコントローラ４１は、データバス５０を介して、圧縮伸張処理部５６、外部出力端子３２、及びメディアコントローラ５７が接続されている。圧縮伸張処理部５６は、バッファメモリ５１ｂに記憶された画像データに対してＪＰＥＧ方式等の圧縮形式により圧縮処理を施す。システムコントローラ４１は、メディアコントローラ５７を制御して、圧縮処理された画像データをメモリカード３３に記憶される。また、圧縮伸張処理部５６は、メモリカード３３に記憶された画像データを再生する際に、圧縮された画像データに対して伸張処理を行う。
【００２９】
さらに、システムコントローラ４１には、操作部２０、計時手段であるタイマー６０、発光部１８、スピーカ１９、及び電源部４２が接続されている。操作部２０は、ユーザにより操作された時に、各操作に対応する指令をシステムコントローラ４１に出力する。
【００３０】
システムコントローラ４１内の電源制御部４１ｃは、タイマー６０を制御して計時させ、計時情報を逐次取得する。また、システムコントローラ４１は、発光部１８の点灯及びスピーカ１９の出力を制御する。電源部４２は、カメラ本体１１に着脱自在に装填される電池４２ａと、この電池４２ａから供給される電源を適切な駆動電圧に変換するＤＣ／ＤＣコンバータ４２ｂとを備えており、各ブロックへ電源供給を行っている。また、前述の電源制御部４１ｃは、電源部４２を制御して適切な駆動電圧で各ブロックへ電源供給させる。
【００３１】
また、デジタルカメラ１０は、一定時間操作が行われなかった時に、電源を自動的にオフにする節電機能を備えており、この節電機能は、電源制御部４１ｃによって実現される。また、設定変更部４１ｂは、電源制御部４１ｃを制御して、複数の撮影モードのうち、スポーツ撮影モードが選択されている場合、節電機能が無効になり、その他の撮影モードが選択されている場合、節電機能が有効になるように設定を変更する。
【００３２】
この節電機能について図５を用いて説明する。スポーツ撮影モードが選択されている場合、節電機能が無効にされるので自動的に電源オフされることなく、電源制御部４１ｃは、電源部４２を制御してデジタルカメラ１０の各部へ連続給電させる。また、その他の撮影モードが選択されている場合、節電機能は有効にされ、電源制御部４１ｃが、操作部２０が最後に操作された時にタイマー６０をリセットして計時を開始させ、電源制御部４１ｃは、タイマー６０から計時情報を逐次取得する。
【００３３】
その後、最後の操作からの経過時間が第１の設定時間である自動消灯時間Ｔ１になった時に、電源制御部４１ｃが、電源部４２を制御してＬＣＤパネル１６への電源供給を停止させ、ＬＣＤパネル１６の電源をオフにして自動消灯させる。その後、さらに時間が経過して、最後の操作から第２の設定時間である自動電源オフ時間Ｔ２経過した時に、電源制御部４１ｃが、電源部４２を制御して全てのブロックへの電源供給を停止させ、カメラの電源を自動的にオフにする。また、カメラの電源が自動的にオフにされる前、すなわち、第３の設定時間である警告時間Ｔ３前に、システムコントローラ４１が、発光部１８を制御することにより、点灯または点滅させてカメラの電源が自動的にオフになることをユーザに警告する。
【００３４】
また、自動電源オフ時間Ｔ２は、ユーザの操作により変更可能である。ユーザが操作部２０を操作することにより、図６に示すように、節電機能の設定画面７０を表示される。その後、ユーザは操作部２０を操作して、例えば、１〜１０分の間で自動電源オフ時間Ｔ２の値を指定することにより、自動電源オフ時間Ｔ２の値を設定することができる。また、システムコントローラ４１は、この自動電源オフ時間Ｔ２の値に基づいて、自動消灯時間Ｔ１及び警告時間Ｔ３を設定する。設定変更部４１ｂは、これらの設定値に基づいて電源制御部４１ｃの節電機能の設定を変更する。
【００３５】
さらに、複数の撮影モードのうち、インターバル撮影モードが選択されている場合、撮影時に節電処理が行われる。以下に、インターバル撮影モードにおける撮影時の節電処理について説明する。
【００３６】
インターバル撮影モードにて撮影を行う場合、図７に示すように、撮影間隔Ｔ４にて複数回の撮影が実行されるが、各撮影終了してから自動電源オフ時間Ｔ５経過後に自動的にカメラの電源がオフになり、次の撮影よりも自動電源オン時間Ｔ６前に再び自動的にカメラの電源がオンとなる。つまり、１回目の撮影（シャッタボタン全押し時）から、自動電源オフ時間Ｔ５経過した時に自動的にカメラの電源がオフにされ、２回目の撮影よりも自動電源オン時間Ｔ６前に自動的にカメラの電源がオンにされる。その後、予め設定された撮影回数が終了するまで、自動電源オン及び自動電源オフが同様に繰り返し行われて、設定された撮影回数が終了した時に電源が自動的にオフにされてインターバル撮影が終了する。
【００３７】
また、撮影間隔Ｔ４及び撮影回数は、予めユーザにより設定される。ユーザは、操作部２０を操作することにより、図８に示すように、インターバル撮影モードの設定画面８０を表示される。その後、ユーザは操作部２０を操作して、撮影間隔Ｔ４を設定する項目８０ａを選択して、例えば、１〜６０分の間で撮影間隔Ｔ４を指定し、さらに、撮影回数を設定する項目８０ｂを選択して、例えば、２〜１００回の間で撮影回数を指定することにより、撮影間隔Ｔ４及び撮影回数を設定することができる。また、システムコントローラ４１は、この撮影間隔Ｔ４の値に基づいて、自動電源オフ時間Ｔ５及び自動電源オン時間Ｔ６を設定する。設定変更部４１ｂは、これらの設定値に基づいて電源制御部４１ｃの節電機能の設定を変更する。
【００３８】
次に、上記構成のデジタルカメラ１０の撮影モード時の節電処理について、図９のフローチャートを用いて説明する。デジタルカメラ１０の電源がオンにされて、ユーザがモード切替スイッチ２１を操作することにより撮影モードに切り替えられる。システムコントローラ４１は、スポーツ撮影モードに設定されているか否かを判定する。
【００３９】
スポーツ撮影モードが選択されていると判定された場合、設定変更部４１ｂが電源制御部４１ｃの節電機能が無効になるように設定を変更して、ＬＣＤパネル１６の電源及びその他の全ての電源が常にオン状態に維持され、節電を行わずに処理を終了する。
【００４０】
また、スポーツ撮影モードが選択されていないと判定された場合、すなわちスポーツ撮影モード以外の撮影モードが選択されていると判定された場合、設定変更部４１ｂが電源制御部４１ｃの節電機能が有効になるように設定を変更する。
【００４１】
この時、電源制御部４１ｃは、タイマー６０を制御して、操作部２０が最後に操作された時点から計時を開始される。この時、ＬＣＤパネル１６の電源はオン状態にされ、点灯している。その後、電源制御部４１ｃが、操作部２０の操作があったか否かの判定を行う。操作があったと判定された場合、タイマー６０をリセットして再び計時開始の処理に戻る。
【００４２】
また、操作がないと判定された場合、電源制御部４１ｃがタイマー６０から計時情報を取得して、自動消灯時間Ｔ１経過したか否かの判定を行う。自動消灯時間Ｔ１経過していないと判定された場合、操作があったか否かの判定処理に戻る。
【００４３】
自動消灯時間Ｔ１経過したと判定された場合、電源制御部４１ｃは、電源部４２を制御してＬＣＤパネル１６への給電を停止させ、ＬＣＤパネルの電源をオフにして自動消灯させる。
【００４４】
その後、電源制御部４１ｃが、操作部２０の操作があったか否かの判定を行う。操作があったと判定された場合、タイマー６０をリセットして再び計時開始の処理に戻る。操作がないと判定された場合、電源制御部４１ｃが、タイマー６０から取得した計時情報に基づいて、最後の操作からＴ２−Ｔ３経過したか否かの判定を行う。Ｔ２−Ｔ３経過していないと判定された場合、操作部２０の操作があったか否かの判定処理に戻る。
【００４５】
Ｔ２−Ｔ３経過したと判定された場合、システムコントローラ４１が、発光部１８を制御して点灯または点滅させることにより、自動電源オフされることをユーザに警告する。
【００４６】
その後、電源制御部４１ｃが、操作部２０の操作があったか否かの判定を行う。操作があったと判定された場合、タイマー６０をリセットして再び計時開始の処理に戻る。また、操作がないと判定された場合、電源制御部４１ｃが、タイマー６０から取得した計時情報に基づいて、最後の操作から自動電源オフ時間Ｔ２経過したか否かの判定を行う。自動電源オフ時間Ｔ２経過していないと判定された場合、操作部２０の操作があったか否かの判定処理に戻る。
【００４７】
自動電源オフ時間Ｔ２経過したと判定された場合、電源制御部４１ｃが、電源部４２を制御して全てのブロックへの電源供給を停止させて自動的にカメラの電源をオフにして節電の処理を終了する。
【００４８】
前述のように、スポーツ撮影モードが選択されている時に、節電機能が無効にされるので、スポーツ撮影モードにて、最適なシャッタチャンスを待って撮影を行う際に、自動的にＬＣＤパネル１６またはカメラの電源がオフになって、シャッタチャンスを逃してしまうことを防止できる。
【００４９】
また、スポーツ撮影モード以外の撮影モードが選択されている時には、撮影機能が有効にされているので、デジタルカメラ１０にて無駄な電力が消費されることを防止できる。また、カメラの電源が自動的にオフにされる前にユーザに対して警告を行うので、不意にＬＣＤパネル１６の電源またはカメラの電源がオフになってシャッタチャンスを逃すことを防止できる。
【００５０】
なお、自動電源オフ時間Ｔ２経過して自動電源オフされた後、デジタルカメラ１０の電源をオンにするには、レンズバリア１２を遮蔽位置に移動させ、再び開放位置に移動させることにより、デジタルカメラ１０の電源がオンになる。
【００５１】
次に、インターバル撮影モードでの撮影処理について、図１０のフローチャートを用いて説明する。インターバル撮影モードが選択された時に、撮影間隔Ｔ４及び撮影枚数が設定される。その後、シャッタボタン２８が全押し操作されると、システムコントローラ４１は、各部を制御して１回目の撮影を実行させる。
【００５２】
１回目の撮影終了後、電源オフ時間Ｔ５経過した時に、電源制御部４１ｃが電源部４２を制御して各ブロックへの給電を停止させ、自動的にカメラの電源をオフにする。その後、次の撮影よりも自動電源オン時間Ｔ６前に、電源制御部４１ｃが電源部４２を制御して自動的にカメラの電源をオンにして、次の撮影が実行される。撮影終了後、電源オフ時間Ｔ５経過した時に、自動的にカメラの電源がオフにされる。
【００５３】
その後、システムコントローラ４１は、予め設定された撮影回数の撮影が終了したか否かの判定を行い。終了したと判定された場合、インターバル撮影の処理を終了する。終了していないと判定された場合、システムコントローラ４１は、次の撮影に必要な空き容量がメモリカード３３にあるか否かを判定する。
【００５４】
空き容量があると判定された場合、次の撮影よりも自動電源オン時間Ｔ６前に自動的に電源をオンにして次の撮影を実行させて同様の処理を繰り返し行う。また、空き容量がないと判定された場合、インターバル撮影の処理を終了する。
【００５５】
このように、インターバル撮影において、各撮影の前後のＴ５＋Ｔ６の時間のみカメラの電源がオンにされ、それ以外は、カメラの電源がオフにされるのでデジタルカメラ１０で消費される電力を低減させることができる。
【００５６】
なお、上記実施形態において、最後の操作が行われてから自動電源オフ時間Ｔ２経過した時に、節電機能によってデジタルカメラ１０が自動電源オフされるように説明したが、これに限るものではなく、例えば、システムコントローラ４１が、各ブロックを駆動するクロックパルスを発生させるタイミングジェネレータ（図示せず）を制御して、クロックレート（周波数）を低くして、デジタルカメラ１０をスリープ状態にして消費電力を抑えても良い。このスリープ状態では、操作部２０のいずれかを操作することによりスリープ状態が解除される。
【００５７】
また、上記実施形態において、スポーツ撮影モードが選択されている時にのみ、節電機能を無効にするように説明したが、これに限るものではなく、一瞬のシャッタチャンスを長い時間待って撮影を行うことが多い撮影モードであれば、節電機能を無効にすることにより、シャッタチャンスを逃すことを防止できる。
【００５８】
さらに、上記実施形態において、自動電源オフされる前に、発光部１８を点灯または点滅させることにより、自動電源オフされることをユーザに警告するように説明したが、これに限るものではなく、例えば、スピーカ１９からブザー音が出力されるようにしても良い。
【００５９】
また、上記実施形態において、最後の操作からの経過時間を計時する計時手段としてタイマー６０を設けたが、タイマー６０を設けずにデジタルカメラ１０の内蔵時計を利用するようにしても良い。
【００６０】
さらに、上記実施形態において、本発明をデジタルカメラに適用する場合を例に説明したが、これに限るものではなく、デジタルカメラ機能と、ＬＣＤ等の電子表示部とを有する携帯用電子機器、例えば、ＰＤＡや、カメラ付き携帯電話等に本発明を適用することができる。
【図面の簡単な説明】
【００６１】
【図１】デジタルカメラの前面側の構成を示す外観斜視図である。
【図２】デジタルカメラの背面側の構成を示す外観斜視図である。
【図３】撮影モード選択画面を示す説明図である。
【図４】デジタルカメラの電気的構成を示すブロック図である。
【図５】撮影モードでの節電処理を示す説明図である。
【図６】節電機能の設定画面を示す説明図である。
【図７】インターバル撮影モードにおける撮影時の節電処理を示す説明図である。
【図８】インターバル撮影モードの設定画面を示す説明図である。
【図９】撮影モードでの節電処理を説明するフローチャートである。
【図１０】インターバル撮影での節電処理を説明するフローチャートである。
【符号の説明】
【００６２】
１０  デジタルカメラ
１６  ＬＣＤパネル
１８  発光部
１９  スピーカ
２０  操作部
４１  システムコントローラ
４１ｂ  設定変更部
４１ｃ  電源制御部
４２  電源部
Ｔ１  自動消灯時間
Ｔ２  自動電源オフ時間
Ｔ３  警告時間
【図１】
2006093867.tif 000003
【図２】
2006093867.tif 000004
【図３】
2006093867.tif 000005
【図４】
2006093867.tif 000006
【図５】
2006093867.tif 000007
【図６】
2006093867.tif 000008
【図７】
2006093867.tif 000009
【図８】
2006093867.tif 000010
【図９】
2006093867.tif 000011
【図１０】
2006093867.tif 000012